(57)【要約】  本願の実施例は信号処理の方法及び装置を提供し、ＱＣＩ識別ＩＤによって第一下りリンク信号と疑似コロケーションである第二下りリンク信号を探し、それにより、前記第二下りリンク信号に基づき、前記第一下りリンク信号を処理することができる。前記方法は、端末装置が第一下りリンク信号の第一ポート集合に対応する疑似コロケーション（ＱＣＬ）識別ＩＤを確定することと、前記端末装置が前記ＱＣＬ  ＩＤに基づき、前記第一下りリンク信号の第一ポート集合と疑似コロケーションである第二下りリンク信号を確定することと、前記端末装置が前記第二下りリンク信号から取得されたＱＣＬ情報に基づき、前記第一下りリンク信号の第一ポート集合における信号を処理することとを含む。
2020518180.tif 000002
【特許請求の範囲】
【請求項１】
信号処理の方法であって、
端末装置が、第一下りリンク信号の第一ポート集合に対応する疑似コロケーション（ＱＣＬ）識別ＩＤを確定することと、
前記端末装置が、前記ＱＣＬ  ＩＤに基づき、前記第一下りリンク信号の第一ポート集合と疑似コロケーションである第二下りリンク信号を確定することと、
前記端末装置が、前記第二下りリンク信号から取得されたＱＣＬ情報に基づき、前記第一下りリンク信号の第一ポート集合における信号を処理することと、を含むことを特徴とする、前記信号処理の方法。
【請求項２】
前記ＱＣＬ  ＩＤがセルＩＤ、又はビームＩＤ、又は同期信号ブロックの時間インデックス、又は下りリンクＲＳのシーケンスを生成するためのＲＳ  ＩＤであることを特徴とする
請求項１に記載の方法。
【請求項３】
前記第一ポート集合が前記第一下りリンク信号の一部又は全部のポートを含むことを特徴とする
請求項１又は２に記載の方法。
【請求項４】
前記ＱＣＬ  ＩＤがセルＩＤであり、前記端末装置が、前記ＱＣＬ  ＩＤに基づき、前記第一下りリンク信号の第一ポート集合と疑似コロケーションである第二下りリンク信号を確定することは、
前記端末装置が、前記セルＩＤを搬送するための同期信号ブロック又は前記同期信号ブロック内の信号を、前記第一下りリンク信号の第一ポート集合と疑似コロケーションである前記第二下りリンク信号として確定することを含むことを特徴とする
請求項１〜３のいずれか１項に記載の方法。
【請求項５】
前記ＱＣＬ  ＩＤが同期信号ブロックの時間インデックスであり、前記端末装置が、前記ＱＣＬ  ＩＤに基づき、前記第一下りリンク信号の第一ポート集合と疑似コロケーションである第二下りリンク信号を確定することは、
前記端末装置が前記時間インデックスを搬送するための同期信号ブロック又は前記同期信号ブロック内の信号を、前記第一下りリンク信号の第一ポート集合と疑似コロケーションである前記第二下りリンク信号として確定することを含むことを特徴とする
請求項１〜３のいずれか１項に記載の方法。
【請求項６】
前記ＱＣＬ  ＩＤがビームＩＤであり、前記端末装置が前記ＱＣＬ  ＩＤに基づき、前記第一下りリンク信号の第一ポート集合と疑似コロケーションである第二下りリンク信号を確定することは、
前記端末装置が、前記ビームＩＤを搬送するための同期信号ブロック又は下りリンク基準信号ＲＳを、前記第一下りリンク信号の第一ポート集合と疑似コロケーションである前記第二下りリンク信号として確定することを含むこと特徴とする
請求項１〜３のいずれか１項に記載の方法。
【請求項７】
前記ＱＣＬ  ＩＤが下りリンクＲＳのシーケンスを生成するためのＲＳ  ＩＤであり、前記端末装置が前記ＱＣＬ  ＩＤに基づき、前記第一下りリンク信号の第一ポート集合と疑似コロケーションである第二下りリンク信号を確定することは、
前記端末装置が、事前に配置されたＲＳ集合内の、前記ＲＳ  ＩＤを使用してＲＳシーケンスを生成する下りリンクＲＳを、前記第一下りリンク信号の第一ポート集合と疑似コロケーションである前記第二下りリンク信号として確定することを含む特徴とする
請求項１〜３のいずれか１項に記載の方法。
【請求項８】
前記第一下りリンク信号の第一ポート集合が前記第二下りリンク信号と疑似コロケーションであることは、
前記端末装置が、前記第二下りリンク信号を伝送するためのチャネルの広域パラメータに基づき、前記第一下りリンク信号の第一ポート集合に対応するチャネルの広域パラメータを確定することができること、又は
前記端末装置が、前記第二下りリンク信号を送信し又は受信するために用いられるビームに基づき、前記第一下りリンク信号の第一ポート集合における信号を送信し又は受信するために用いられるビームを確定することができることを含むこと特徴とする
請求項１至７のいずれか１項に記載の方法。
【請求項９】
前記第二下りリンク信号が同期信号ブロックであり、前記端末装置が前記第二下りリンク信号を伝送するためのチャネルの広域パラメータに基づき、前記第一下りリンク信号の第一ポート集合に対応するチャネルの広域パラメータを確定することができることは、
前記端末装置が、前記同期信号ブロック内の同期信号ＳＳ又は物理ブロードキャストチャネルＰＢＣＨ復調基準信号ＤＭＲＳを伝送するためのチャネルの広域パラメータに基づき、前記第一下りリンク信号を伝送するための第一ポート集合に対応するチャネルの広域パラメータを確定することができることを含むことを特徴とする
請求項８に記載の方法。
【請求項１０】
前記第二下りリンク信号が同期信号ブロックであり、前記端末装置が前記第二下りリンク信号を送信し又は受信するために用いられるビームに基づき、前記第一下りリンク信号の第一ポート集合における信号を送信し又は受信するために用いられるビームを確定することができることは、
前記端末装置が前記同期信号ブロック内の同期信号ＳＳ、又はＰＢＣＨを送信し又は受信するために用いられるビームに基づき、前記第一下りリンク信号の第一ポート集合における信号を送信し又は受信するために用いられるビームを確定することができることを含むこと特徴とする
請求項８に記載の方法。
【請求項１１】
前記ＱＣＬ情報がチャネルの広域パラメータ又はビーム情報を含むことを特徴とする
請求項１〜１０のいずれか１項に記載の方法。
【請求項１２】
前記端末装置が前記第二下りリンク信号から取得されたＱＣＬ情報に基づき、前記第一下りリンク信号の第一ポート集合における信号を処理することは、
前記端末装置が、前記第二下りリンク信号を伝送するためのチャネルの広域パラメータを取得することと、
前記第二下りリンク信号を伝送するためのチャネルの広域パラメータに基づき、前記第一下りリンク信号の第一ポート集合に対応するチャネルに対してチャネル推定を行うこととを含むこと特徴とする
請求項１１に記載の方法。
【請求項１３】
前記端末装置が前記第二下りリンク信号から取得されたＱＣＬ情報に基づき、前記第一下りリンク信号の第一ポート集合の信号を処理することは、
前記端末装置が、前記第二下りリンク信号を受信するために用いられるビームを、前記第一下りリンク信号の第一ポート集合における信号を受信する目標ビームとして確定することと、
前記目標ビームを用いて前記第一下りリンク信号の第一ポート集合における信号を受信することとを含むこと特徴とする
請求項１１に記載の方法。
【請求項１４】
チャネルの広域パラメータは、
遅延スプレッド、ドップラースプレッド、ドップラーシフト、平均ゲイン、平均遅延、離れ角、到着角、受信相関性及び送信相関性のうちの少なくとも１つを含むことを特徴とする
請求項１〜１３のいずれか１項に記載の方法。
【請求項１５】
前記第一下りリンク信号がＤＭＲＳ、又はチャネル状態情報基準信号ＣＳＩ−ＲＳ、又は同期信号ブロック、又は同期信号、又は同期チャネルであることを特徴とする
請求項１〜１４のいずれか１項に記載の方法。
【請求項１６】
前記第二下りリンク信号がＣＳＩ−ＲＳ、又は同期信号ブロック、又は同期信号、又は同期チャネル、又は位相追跡基準信号ＰＴ−ＲＳであることを特徴とする
請求項１〜１５のいずれか１項に記載の方法。
【請求項１７】
信号処理の装置であって、
第一下りリンク信号の第一ポート集合に対応する疑似コロケーション（ＱＣＬ）識別ＩＤを確定し、前記ＱＣＬ  ＩＤに基づき、前記第一下りリンク信号の第一ポート集合と疑似コロケーションである第二下りリンク信号を確定するように構成される確定モジュールと、
前記第二下りリンク信号から取得されたＱＣＬ情報に基づき、前記第一下りリンク信号の第一ポート集合における信号を処理するように構成される処理モジュールとを含むことを特徴とする、信号処理の装置。
【請求項１８】
前記ＱＣＬ  ＩＤがセルＩＤ、又はビームＩＤ、又は同期信号ブロックの時間インデックス、又は下りリンクＲＳのシーケンスを生成するためのＲＳ  ＩＤであることを特徴とする
請求項１７に記載の装置。
【請求項１９】
前記第一ポート集合が前記第一下りリンク信号の一部又は全部のポートを含むことを特徴とする
請求項１７又は１８に記載の装置。
【請求項２０】
前記ＱＣＬ  ＩＤがセルＩＤであり、前記確定モジュールが具体的に、
前記セルＩＤを搬送するための同期信号ブロック又は前記同期信号ブロック内の信号を、前記第一下りリンク信号の第一ポート集合と疑似コロケーションである前記第二下りリンク信号として確定するように構成されることを特徴とする
請求項１７〜１９のいずれか１項に記載の装置。
【請求項２１】
前記ＱＣＬ  ＩＤが同期信号ブロックの時間インデックスであり、前記確定モジュールが具体的に、
前記時間インデックスを搬送するための同期信号ブロック又は前記同期信号ブロック内の信号を、前記第一下りリンク信号の第一ポート集合と疑似コロケーションである前記第二下りリンク信号として確定するように構成されることを特徴とする
請求項１７〜１９のいずれか１項に記載の装置。
【請求項２２】
前記ＱＣＬ  ＩＤがビームＩＤであり、前記確定モジュールが具体的に、
前記ビームＩＤを搬送するための同期信号ブロック又は下りリンク基準信号ＲＳを、前記第一下りリンク信号の第一ポート集合と疑似コロケーションである前記第二下りリンク信号として確定するように構成されることを特徴とする
請求項１７〜１９のいずれか１項に記載の装置。
【請求項２３】
前記ＱＣＬ  ＩＤが下りリンクＲＳのシーケンスを生成するためのＲＳ  ＩＤであり、前記確定モジュールが具体的に、
事前に配置されたＲＳ集合内の、前記ＲＳ  ＩＤを使用してＲＳシーケンスを生成する下りリンクＲＳを、前記第一下りリンク信号の第一ポート集合と疑似コロケーションである前記第二下りリンク信号として確定するように構成されることを特徴とする
請求項１７〜１９のいずれか１項に記載の装置。
【請求項２４】
前記第一下りリンク信号の第一ポート集合が前記第二下りリンク信号と疑似コロケーションであることは、
前記確定モジュールが前記第二下りリンク信号を伝送するためのチャネルの広域パラメータに基づき、前記第一下りリンク信号の第一ポート集合に対応するチャネルの広域パラメータを確定することができること、又は
前記確定モジュールが前記第二下りリンク信号を送信し又は受信するために用いられるビームに基づき、前記第一下りリンク信号の第一ポート集合における信号を送信し又は受信するために用いられるビームを確定することができることとを含むことを特徴とする
請求項１７〜２３のいずれか１項に記載の装置。
【請求項２５】
前記第二下りリンク信号が同期信号ブロックであり、前記確定モジュールが前記第二下りリンク信号を伝送するためのチャネルの広域パラメータに基づき、前記第一下りリンク信号の第一ポート集合に対応するチャネルの広域パラメータを確定することができることは、
前記確定モジュールが前記同期信号ブロック内の同期信号ＳＳ又は物理ブロードキャストチャネルＰＢＣＨ復調基準信号ＤＭＲＳを伝送するためのチャネルの広域パラメータに基づき、前記第一下りリンク信号を伝送するための第一ポート集合に対応するチャネルの広域パラメータを確定することができることを含むことを特徴とする
請求項２４に記載の装置。
【請求項２６】
前記第二下りリンク信号が同期信号ブロックであり、前記確定モジュールが前記第二下りリンク信号を送信し又は受信するために用いられるビームに基づき、前記第一下りリンク信号の第一ポート集合における信号を送信し又は受信するために用いられるビームを確定することができることは、
前記確定モジュールが前記同期信号ブロック内の同期信号ＳＳ、又はＰＢＣＨを送信し又は受信するために用いられるビームに基づき、前記第一下りリンク信号の第一ポート集合における信号を送信し又は受信するために用いられるビームを確定することができることを含むことを特徴とする
請求項２４に記載の装置。
【請求項２７】
前記ＱＣＬ情報がチャネルの広域パラメータ又はビーム情報を含むことを特徴とする
請求項１７〜２６のいずれか１項に記載の装置。
【請求項２８】
前記処理モジュールは具体的に、
前記第二下りリンク信号を伝送するためのチャネルの広域パラメータを取得し、
前記第二下りリンク信号を伝送するためのチャネルの広域パラメータに基づき、前記第一下りリンク信号の第一ポート集合に対応するチャネルに対してチャネル推定を行うように構成されることを特徴とする
請求項２７に記載の装置。
【請求項２９】
前記処理モジュールは具体的に、
前記第二下りリンク信号を受信するために用いられるビームを、前記第一下りリンク信号の第一ポート集合における信号を受信する目標ビームとして確定するように構成され、
前記装置はさらに、
前記目標ビームを用いて前記第一下りリンク信号の第一ポート集合における信号を受信するように構成される通信モジュールを含むことを特徴とする
請求項２７に記載の装置。
【請求項３０】
チャネルの広域パラメータは、
遅延スプレッド、ドップラースプレッド、ドップラーシフト、平均ゲイン、平均遅延、離れ角、到着角、受信相関性及び送信相関性のうちの少なくとも１つを含むことを特徴とする
請求項１７〜２９のいずれか１項に記載の装置。
【請求項３１】
前記第一下りリンク信号がＤＭＲＳ、又はチャネル状態情報基準信号ＣＳＩ−ＲＳ、又は同期信号ブロック、又は同期信号、又は同期チャネルであることを特徴とする
請求項１７〜３０のいずれか１項に記載の装置。
【請求項３２】
前記第二下りリンク信号がＣＳＩ−ＲＳ、又は同期信号ブロック、又は同期信号、又は同期チャネル、又は位相追跡基準信号ＰＴ−ＲＳであることを特徴とする
請求項１７〜３１のいずれか１項に記載の装置。
【発明の詳細な説明】
【技術分野】
【０００１】
本願は通信分野に関し、より具体的に、信号処理の方法及び装置に関する。
【背景技術】
【０００２】
現在、ロングタームエボリューション（Ｌｏｎｇ  Ｔｅｒｍ  Ｅｖｏｌｕｔｉｏｎ、ＬＴＥ）システムに、疑似コロケーション（Ｑｕａｓｉ−Ｃｏ−Ｌｏｃａｔｉｏｎ、ＱＣＬ）の概念が導入されており、２つの下りリンク信号がＱＣＬのものである場合、そのうちの１つの下りリンク信号に基づき、他方の下りリンク信号を処理することができ、例えば、そのうちの１つの下りリンク信号を伝送するためのチャネルに対してチャネル推定を行うことにより、取得された広域パラメータに基づき、他方の下りリンク信号を伝送するためのチャネルに対してチャネル推定を行うことができ、それにより、他方の下りリンク信号のチャネル推定性能を向上させる。
【０００３】
従って、どのように下りリンク信号と疑似コロケーションである他の下りリンク信号を探して、それにより他の下りリンク信号に基づき、前記下りリンク信号の第一ポート集合における信号を処理するかは研究価値がある課題である。
【発明の概要】
【発明が解決しようとする課題】
【０００４】
本願の実施例は信号処理の方法及び装置を提供し、ＱＣＩ識別ＩＤによって第一下りリンク信号と疑似コロケーションである第二基準信号を探し、それにより、前記第二下りリンク信号に基づき、前記第一下りリンク信号の第一ポート集合における信号を処理することができる。
【課題を解決するための手段】
【０００５】
第一態様は信号処理の方法を提供し、それは、端末装置が第一下りリンク信号の第一ポート集合に対応する疑似コロケーション（ＱＣＬ）識別ＩＤを確定することと、前記端末装置が前記ＱＣＬ  ＩＤに基づき、前記第一下りリンク信号の第一ポート集合と疑似コロケーションである第二下りリンク信号を確定することと、前記端末装置が前記第二下りリンク信号から取得されたＱＣＬ情報に基づき、前記第一下りリンク信号の第一ポート集合における信号を処理することとを含む。
【０００６】
具体的に実現する時、疑似コロケーションするポートが同じＱＣＬ  ＩＤに対応し、疑似コロケーションするポートと他のポートがそれぞれ異なるＱＣＬ  ＩＤに対応するように設置できる。
【０００７】
例えば、前記第一下りリンク信号の第一ポート集合は第二下りリンク信号の第二ポート集合と疑似コロケーションし、前記第一下りリンク信号の第一ポート集合及び前記第二下りリンク信号の第二ポート集合が同じＱＣＬ  ＩＤに対応すると、前記端末装置がＱＣＬ  ＩＤに基づいてどのポートが疑似コロケーションするかを確定することができる。
【０００８】
好ましくは、前記第一下りリンク信号はＤＭＲＳであると、前記ＤＭＲＳがデータチャネルのＤＭＲＳであってもよく、すなわち、前記ＤＭＲＳがデータチャネルの関連復調に用いられてもよく、又は制御チャネルのＤＭＲＳであってもよく、すなわち、前記ＤＭＲＳが制御チャネルの関連復調に用いられもよい。
【０００９】
第一態様を参照し、第一態様のある実現方式では、前記ＱＣＬ  ＩＤはセルＩＤ、又はビームＩＤ、又は同期信号ブロックの時間インデックス、又は下りリンクＲＳのシーケンスを生成するためのＲＳ  ＩＤである。
【００１０】
第一態様を参照し、第一態様のある実現方式では、前記第一ポート集合は前記第一下りリンク信号の一部又は全部のポートを含む。
【００１１】
第一態様を参照し、第一態様のある実現方式では、前記ＱＣＬ  ＩＤはセルＩＤであり、前記端末装置が前記ＱＣＬ  ＩＤに基づき、前記第一下りリンク信号の第一ポート集合と疑似コロケーションである第二下りリンク信号を確定することは、
前記端末装置が前記セルＩＤを搬送するための同期信号ブロック又は前記同期信号ブロック内の信号を、前記第一下りリンク信号の第一ポート集合と疑似コロケーションである前記第二下りリンク信号として確定することを含む。
【００１２】
第一態様を参照し、第一態様のある実現方式では、前記ＱＣＬ  ＩＤは同期信号ブロックの時間インデックスであり、前記端末装置が前記ＱＣＬ  ＩＤに基づき、前記第一下りリンク信号の第一ポート集合と疑似コロケーションである第二下りリンク信号を確定することは、
前記端末装置が前記時間インデックスを搬送するための同期信号ブロック又は前記同期信号ブロック内の信号を、前記第一下りリンク信号の第一ポート集合と疑似コロケーションである前記第二下りリンク信号として確定することを含む。
【００１３】
第一態様を参照し、第一態様のある実現方式では、前記ＱＣＬ  ＩＤはビームＩＤであり、前記端末装置が前記ＱＣＬ  ＩＤに基づき、前記第一下りリンク信号の第一ポート集合と疑似コロケーションである第二下りリンク信号を確定することは、
前記端末装置が前記ビームＩＤを搬送するための同期信号ブロック又は下りリンク基準信号ＲＳを、前記第一下りリンク信号の第一ポート集合と疑似コロケーションである前記第二下りリンク信号として確定することを含む。
【００１４】
第一態様を参照し、第一態様のある実現方式では、前記ＱＣＬ  ＩＤは下りリンクＲＳのシーケンスを生成するためのＲＳ  ＩＤであり、前記端末装置が前記ＱＣＬ  ＩＤに基づき、前記第一下りリンク信号の第一ポート集合と疑似コロケーションである第二下りリンク信号を確定することは、
前記端末装置が事前に配置されたＲＳ集合内の、前記ＲＳ  ＩＤを使用してＲＳシーケンスを生成する下りリンクＲＳを、前記第一下りリンク信号の第一ポート集合と疑似コロケーションである前記第二下りリンク信号として確定することを含む。
【００１５】
第一態様を参照し、第一態様のある実現方式では、前記第一下りリンク信号の第一ポート集合が前記第二下りリンク信号と疑似コロケーションであることは、
前記端末装置が前記第二下りリンク信号を伝送するためのチャネルの広域パラメータに基づき、前記第一下りリンク信号の第一ポート集合に対応するチャネルの広域パラメータを確定することができること、又は
前記端末装置が前記第二下りリンク信号を送信し又は受信するために用いられるビームに基づき、前記第一下りリンク信号の第一ポート集合における信号を送信し又は受信するために用いられるビームを確定することができることを含む。
【００１６】
つまり、前記第一下りリンク信号を伝送するための第一ポート集合に対応するチャネルの広域パラメータと前記第二下りリンク信号を伝送するためのチャネルの広域パラメータが類似し又は同一であり、又は前記第一下りリンク信号の第一ポート集合における信号を送信し又は受信するために用いられるビームと前記第二下りリンク信号を送信し又は受信するために用いられるビームのビーム方向が類似し又は同一である。
【００１７】
第一態様を参照し、第一態様のある実現方式では、前記第二下りリンク信号は同期信号ブロックであり、前記端末装置が前記第二下りリンク信号を伝送するためのチャネルの広域パラメータに基づき、前記第一下りリンク信号の第一ポート集合に対応するチャネルの広域パラメータを確定することができることは、
前記端末装置が前記同期信号ブロック内の同期信号ＳＳ又は物理ブロードキャストチャネルＰＢＣＨ復調基準信号ＤＭＲＳを伝送するためのチャネルの広域パラメータに基づき、前記第一下りリンク信号を伝送するための第一ポート集合に対応するチャネルの広域パラメータを確定することができることを含む。
【００１８】
第一態様を参照し、第一態様のある実現方式では、前記第二下りリンク信号は同期信号ブロックであり、前記端末装置が前記第二下りリンク信号を送信し又は受信するために用いられるビームに基づき、前記第一下りリンク信号の第一ポート集合における信号を送信し又は受信するために用いられるビームを確定することができることは、
前記端末装置が前記同期信号ブロック内の同期信号ＳＳ、又はＰＢＣＨを送信し又は受信するために用いられるビームに基づき、前記第一下りリンク信号の第一ポート集合における信号を送信し又は受信するために用いられるビームを確定することができることを含む。
【００１９】
第一態様を参照し、第一態様のある実現方式では、前記ＱＣＬ情報はチャネルの広域パラメータ又はビーム情報を含む。
【００２０】
第一態様を参照し、第一態様のある実現方式では、前記端末装置が前記第二下りリンク信号から取得されたＱＣＬ情報に基づき、前記第一下りリンク信号の第一ポート集合における信号を処理することは、前記端末装置が前記第二下りリンク信号を伝送するためのチャネルの広域パラメータを取得し、前記第二下りリンク信号を伝送するためのチャネルの広域パラメータに基づき、前記第一下りリンク信号の第一ポート集合に対応するチャネルに対してチャネル推定を行うことを含む。
【００２１】
第一態様を参照し、第一態様のある実現方式では、前記端末装置が前記第二下りリンク信号から取得されたＱＣＬ情報に基づき、前記第一下りリンク信号の第一ポート集合の信号を処理することは、前記端末装置が前記第二下りリンク信号を受信するために用いられるビームを、前記第一下りリンク信号の第一ポート集合における信号を受信する目標ビームとして確定し、前記目標ビームを用いて前記第一下りリンク信号の第一ポート集合における信号を受信することを含む。
【００２２】
つまり、前記端末装置は前記第一下りリンク信号の第一ポート集合と疑似コロケーションである第二下りリンク信号を確定した後、前記第一下りリンク信号の信号タイプに基づき、対応する操作を実行し、例えば、前記第一下りリンク信号が同期信号ブロック、又は同期信号、又は同期チャネル等がセル同期に用いられる信号であると、前記端末装置が前記第一下りリンク信号に基づいてセル同期を行うことができ、又は前記第一下りリンク信号がＤＭＲＳであると、前記端末装置が前記第二下りリンク信号を伝送するためのチャネルの広域パラメータに基づき、前記第一下りリンク信号の第一ポート集合に対応するチャネルに対してチャネル推定を行うことができ、さらに、チャネル推定の結果に基づき、第一ポート集合において伝送される信号に対してデータ復調を行うことができ、又は前記第一下りリンク信号がＣＳＩ−ＲＳであると、前記端末装置が前記第二下りリンク信号を伝送するためのチャネルの広域パラメータに基づき、前記第一下りリンク信号の第一ポート集合に対応するチャネルに対してチャネル推定を行うことができ、さらに、チャネル推定の結果に基づき、ＣＳＩ測定を行うことができる。
【００２３】
第一態様を参照し、第一態様のある実現方式では、チャネルの広域パラメータは、
遅延スプレッド、ドップラースプレッド、ドップラーシフト、平均ゲイン、平均遅延、離れ角、到着角、受信相関性及び送信相関性のうちの少なくともの１つを含む。
【００２４】
第一態様を参照し、第一態様のある実現方式では、前記第一下りリンク信号がＤＭＲＳ、又はチャネル状態情報基準信号ＣＳＩ−ＲＳ、又は同期信号ブロック、又は同期信号、又は同期チャネルである。
【００２５】
第一態様を参照し、第一態様のある実現方式では、前記第二下りリンク信号はＣＳＩ−ＲＳ、又は同期信号ブロック、又は同期信号、又は同期チャネル、又は位相追跡基準信号ＰＴ−ＲＳである。
【００２６】
第二態様は信号処理の装置を提供し、第一態様又はその各種の実現方式における方法を実行するためのユニットを含む。
【００２７】
第三態様は信号処理の装置を提供し、メモリ、プロセッサ及び送受信機を含み、前記メモリがプログラム記憶に用いられ、前記プロセッサがプログラム実行に用いられ、前記プログラムが実行される時、前記プロセッサが前記送受信機に基づいて第一態様における方法を実行する。
【００２８】
第四態様はコンピュータ読み取り可能な媒体を提供し、前記コンピュータ読み取り可能な媒体が端末装置実行に用いられるプログラムコードを記憶し、前記プログラムコードが第一態様における方法の実行に用いられるコマンドを含む。
【図面の簡単な説明】
【００２９】
【図１】図１は本願の実施例による無線通信システムの模式的な図である。
【図２】図２は本願の実施例による信号処理の方法の模式的なフローチャートである。
【図３】図３は本願の実施例による信号処理の装置の模式的なブロック図である。
【図４】図４は本願の別の実施例による信号処理の装置の模式的なブロック図である。
【発明を実施するための形態】
【００３０】
以下では図面を参照しながら、本願の実施例における技術案を説明する。
【００３１】
本発明の技術案が各種の通信システム、例えば、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、“ＧＳＭ”と略称）システム、符号分割多元接続（Ｃｏｄｅ  Ｄｉｖｉｓｉｏｎ  Ｍｕｌｔｉｐｌｅ  Ａｃｃｅｓｓ、“ＣＤＭＡ”と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、“ＷＣＤＭＡ”）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、“ＬＴＥ”と略称）システム、先進的なロングタームエボリューション（Ａｄｖａｎｃｅｄ  ｌｏｎｇ  ｔｅｒｍ  ｅｖｏｌｕｔｉｏｎ、“ＬＴＥ−Ａ”と略称）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、“ＵＭＴＳ”と略称）、５Ｇ等に応用できることが理解されるべきである。
【００３２】
図１は本発明の実施例に適用される無線通信システム１００を示す。該無線通信システム１００が少なくとも１つネットワーク装置、例えば、図１に示される第一ネットワーク装置１１０及び第二ネットワーク装置１２０を含んでもよい。第一ネットワーク装置１１０及び第二ネットワーク装置１２０がいずれも無線エアインタフェースによって端末装置１３０と通信できる。第一ネットワーク装置１１０及び第二ネットワーク装置１２０が特定の地理的領域に通信カバレージを提供でき、且つ、該カバレージ領域内に位置する端末装置と通信できる。該第一ネットワーク装置１１０又は第二ネットワーク装置１２０はＧＳＭシステム又はＣＤＭＡシステムにおける基地局（Ｂａｓｅ  Ｔｒａｎｓｃｅｉｖｅｒ  Ｓｔａｔｉｏｎ、“ＢＴＳ”と略称）であってもよく、ＷＣＤＭＡシステムにおける基地局（ＮｏｄｅＢ）であってもよく、さらに、ＬＴＥシステムにおける発展型基地局（Ｅｖｏｌｕｔｉｏｎａｌ  Ｎｏｄｅ  Ｂ、“ｅＮＢ”又は“ｅＮｏｄｅＢ”と略称）であってもよく、又は未来の５Ｇネットワークにおけるネットワーク装置、例えば伝送点（Ｔｒａｎｓｍｉｓｓｉｏｎ  Ｒｅｃｅｐｔｉｏｎ  Ｐｏｉｎｔ、“ＴＲＰ”と略称）、基地局、小基地局装置等であり、本発明の実施例はこれを特に限定しない。
【００３３】
該無線通信システム１００はさらに第一ネットワーク装置１１０及び第二ネットワーク装置１２０カバレージ範囲内に位置する１つ又は複数の端末装置（Ｕｓｅｒ  Ｅｑｕｉｐｍｅｎｔ、“ＵＥ”と略称）１３０を含む。該端末装置１３０は移動してもよく、固定してもよい。端末装置１３０は無線アクセスネットワーク（Ｒａｄｉｏ  Ａｃｃｅｓｓ  Ｎｅｔｗｏｒｋ、“ＲＡＮ”と略称）を介して１つ又は複数のコアネットワーク（Ｃｏｒｅ  Ｎｅｔｗｏｒｋ）と通信でき、端末装置がアクセス端末、端末装置、加入者ユニット、加入者局、モバイル局、モバイル、遠隔局、遠隔端末、モバイル装置、ユーザー端末、端末、無線通信装置、ユーザーエージェント又はユーザー装置とも称されうる。端末装置は搬送電話、コードレスホン、セッション確立プロトコル（Ｓｅｓｓｉｏｎ  Ｉｎｉｔｉａｔｉｏｎ  Ｐｒｏｔｏｃｏｌ、“ＳＩＰ”と略称）電話、無線ローカルループ（Ｗｉｒｅｌｅｓｓ  Ｌｏｃａｌ  Ｌｏｏｐ、“ＷＬＬ”と略称）局、パーソナルデジタルアシスタント（Ｐｅｒｓｏｎａｌ  Ｄｉｇｉｔａｌ  Ａｓｓｉｓｔａｎｔ、“ＰＤＡ”と略称）、無線通信機能を有する手持ち式装置、計算装置又は無線モデムに接続される他の処理装置、車載装置、ウェアラブル装置及び未来の５Ｇネットワークにおける端末装置等であってもよい。
【００３４】
図２は本願の実施例が提供した信号処理の方法２００の模式的なフローチャートであり、前記方法２００が図１に示される無線通信システムにおける端末装置によって実行でき、図２に示されるように、該方法２００は以下を含む。
【００３５】
Ｓ２１０、端末装置が第一下りリンク信号の第一ポート集合に対応する疑似コロケーション（ＱＣＬ）識別ＩＤを確定し、
本願の実施例では、前記第一下りリンク信号が物理ブロードキャストチャネル（Ｐｈｙｓｉｃａｌ  Ｂｒｏａｄｃａｓｔ  Ｃｈａｎｎｅｌ、ＰＢＣＨ）を復調するための復調基準信号（Ｄｅｍｏｄｕｌａｔｉｏｎ  Ｒｅｆｅｒｅｎｃｅ  Ｓｉｇｎａｌ、ＤＭＲＳ）ＤＭＲＳ、又はチャネル状態情報基準信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、ＣＳＩ−ＲＳ）、又は同期信号ブロック、又は同期信号、又は同期チャネル、又は他の下りリンク信号であり、本願の実施例はこれを限定しない。
【００３６】
好ましくは、前記第一下りリンク信号がＤＭＲＳであると、前記ＤＭＲＳがデータチャネルのＤＭＲＳであってもよく、すなわち前記ＤＭＲＳがデータチャネルの関連復調に用いられてもよく、又は制御チャネルのＤＭＲＳであってもよく、すなわち前記ＤＭＲＳが制御チャネルの関連復調に用いられても良い。
【００３７】
本願の実施例では、前記第一下りリンク信号の第一ポート集合の間が疑似コロケーションし、前記第一ポート集合が前記第一下りリンク信号を伝送するための一部又は全部ポートを含む。例えば、前記第一下りリンク信号がＤＭＲＳであり、前記ＤＭＲＳを伝送するためのアンテナポートがポート５、ポート６、ポート７及びポート８を含むと、前記ＤＭＲＳの第一ポート集合がポート５、ポート６、ポート７及びポート８における一部又は全部を含んでもよい。又は前記第一下りリンク信号がＣＳＩ−ＲＳであり、ＣＳＩ−ＲＳを伝送するためのアンテナポートがポート０〜ポート３を含むと、ＣＳＩ−ＲＳの第一ポート集合がポート０〜ポート３における一部又は全部を含む。
【００３８】
具体的に実現する時、第一ポート集合が同じＱＣＬ  ＩＤに対応し、第一ポート集合及び他のポートがそれぞれ異なるＱＣＬ  ＩＤに対応するように設置できる。例えば、前記第一下りリンク信号がＤＭＲＳであり、前記ＤＭＲＳを伝送するためのアンテナポートがポート５、ポート６、ポート７及びポート８を含み、第一ポート集合がポート５及びポート６を含み、すなわちポート５とポート６とが疑似コロケーションし、ポート７とポート８とが疑似コロケーションすると、ポート５とポート６が同じＱＣＬ  ＩＤに対応し、ポート７とポート８が別のＱＣＬ  ＩＤに対応し、それにより、端末装置がＱＣＬ  ＩＤ基づいてどのポートが疑似コロケーションするかを確定することができる。
【００３９】
好ましくは、前記第一下りリンク信号の第一ポート集合と第二下りリンク信号の第二ポート集合とが疑似コロケーションし、前記第一下りリンク信号の第一ポート集合と前記第二下りリンク信号の第二ポート集合が同じＱＣＬ  ＩＤに対応できると、前記端末装置がＱＣＬ  ＩＤに基づいてどのポートが疑似コロケーションするかを確定することができ、ＱＣＬ  ＩＤが複数の下りリンク信号で共同使用されてもよく、従って、ＱＣＬ  ＩＤによって前記第一下りリンク信号と疑似コロケーションである複数の下りリンク信号を支持でき、従って、ネットワーク装置が高位レイヤシグナリング又は下りリンク制御情報（Ｄｏｗｎ  Ｃｏｎｔｒｏｌ  Ｉｎｆｏｒｍａｔｉｏｎ、ＤＣＩ）によって端末装置に第一下りリンク信号と疑似コロケーションである下りリンク信号のインデックス（Ｉｎｄｅｘ）情報を配置することと比べ、シグナリングオーバーヘッドを低減させ、ＱＣＬ指示方式の柔軟性を向上させる。
【００４０】
本願の実施例では、例として、これに限定するもので無いものとして、前記ＱＣＬ  ＩＤがＣｅｌｌ  ＩＤ、ビームＩＤ、又は同期信号ブロックの時間インデックス、又はＲＳ  ＩＤであり、すなわち前記ＱＣＬ  ＩＤが同期信号又は同期信号ブロックが搬送するＣｅｌｌ  ＩＤであり、又は前記ＱＣＬ  ＩＤが下りリンク信号を送信し又は受信するための用いられるビームのビームＩＤであってもよく、前記ＱＣＬ  ＩＤがＲＳシーケンスを生成するためのＲＳ  ＩＤであり、当然のことながら、前記ＱＣＬ  ＩＤが他の識別情報であってもよく、本願の実施例がＱＣＬ  ＩＤの擬態的な識別方式を限定しない。
【００４１】
Ｓ２２０、前記端末装置は前記ＱＣＬ  ＩＤに基づき、前記第一下りリンク信号の第一ポート集合と疑似コロケーションである第二下りリンク信号を確定する。
【００４２】
新しい無線（Ｎｅｗ  Ｒａｄｉｏ  、ＮＲ）システムにおいて、同期信号ブロック（Ｓｙｎｃｈｒｏｎｉｚａｔｉｏｎ  Ｓｉｇｎａｌ  ｂｌｏｃｋ、ＳＳ  ｂｌｏｃｋ）が導入されて、下りリンク同期を行うことに用いられ、１つのＳＳ  ｂｌｏｃｋが同期信号、ＰＢＣＨ及びＰＢＣＨを復調するためのＤＭＲＳを含む。ＳＳ  ｂｌｏｃｋが第一下りリンク信号と疑似コロケーションである下りリンク信号であってもよく、従って、ＳＳ  ｂｌｏｃｋに基づいて第一下りリンク信号を処理でき、例えば、前記ＳＳ  ｂｌｏｃｋに基づいて第一下りリンク信号チャネルを推定でき、それにより第一下りリンク信号のチャネル推定性能を向上させる。
【００４３】
従って、本願の実施例では、前記第二下りリンク信号がＣＳＩ−ＲＳ、又は同期信号ブロック、又は同期信号、又は同期チャネル、又は位相追跡基準信号（Ｐｈａｓｅ  Ｔｒａｃｋｉｎｇ  Ｒｅｆｅｒｅｎｃｅ  Ｓｉｇｎａｌ、ＰＴ−ＲＳ）、又は他の下りリンク信号であってもよく、本願の実施例はこれを限定しない。
【００４４】
本願の実施例では、第一下りリンク信号の第一ポート集合と第二下りリンク信号とが疑似コロケーションすることとは、前記第一下りリンク信号の第一ポート集合と前記第二下りリンク信号の第二ポート集合とが疑似コロケーションすることであってもよく、又は、前記第一下りリンク信号の第一ポート集合と第二下りリンク信号とが疑似コロケーションすることは、前記第一信号の第一ポート集合と前記第二信号の全てのポートとが疑似コロケーションすることの省略表現と考えられてもよく、又は、前記第一下りリンク信号の第一ポート集合と第二下りリンク信号とが疑似コロケーションすることは前記第一下りリンク信号と前記第二下りリンク信号とが疑似コロケーションするように表現されてもよい。
【００４５】
本願の実施例では、第一下りリンク信号の第一ポート集合が第二下りリンク信号と疑似コロケーションであることは具体的に、
前記端末装置が前記第二下りリンク信号を伝送するためのチャネルの広域パラメータに基づき、前記第一下りリンク信号の第一ポート集合に対応するチャネルの広域パラメータを確定することができることと、
又は、前記第一下りリンク信号を伝送するための第一ポート集合に対応するチャネルの広域パラメータと前記第二下りリンク信号を伝送するためのチャネルの広域パラメータが類似し又は同一であることとを含む。
【００４６】
本願の実施例では、広域パラメータは第三世代移動体通信システムの標準化プロジェクト（３ｒｄ  Ｇｅｎｅｒａｔｉｏｎ  Ｐａｒｔｎｅｒｓｈｉｐ  Ｐｒｏｊｅｃｔ、“３ＧＰＰ”と略称）標準における定義を参照してもよく、実際のシステム要求によって設定してもよい。
【００４７】
例えば、広域パラメータは遅延スプレッド（Ｄｅｌａｙ  Ｓｐｒｅａｄ）、ドップラースプレッド（Ｄｏｐｐｌｅｒ  Ｓｐｒｅａｄ）、ドップラーシフト（Ｄｏｐｐｌｅｒ  Ｓｈｉｆｔ）、平均ゲイン（Ａｖｅｒａｇｅ  Ｇａｉｎ）、平均遅延（Ａｖｅｒａｇｅ  Ｄｅｌａｙ）、離れ角（Ｄｅｐａｒｔｕｒｅ  Ｏｆ  Ａｎｇｌｅ）、到着角（Ａｒｒｉｖａｌ  Ｏｆ  Ａｎｇｌｅ）、受信相関性（Ｃｏｒｒｅｌａｔｉｏｎ  ｏｆ  Ｒｅｃｅｉｖｉｎｇ）及び送信相関性（Ｃｏｒｒｅｌａｔｉｏｎ  ｏｆ  Ｔｒａｎｓｍｉｔｔｉｎｇ）のうちの少なくとも１つを含んでもよい。ここで挙げられる広域パラメータに含まれる具体的な内容は単なる例示的な説明であり、本発明を限定するものではなく、本発明は未来の標準において広域パラメータに含まれる内容を変更又は拡張する可能性を排除するものではないことが理解されるべきである。
【００４８】
本願の実施例では、第一下りリンク信号の第一ポート集合が第二下りリンク信号と疑似コロケーションであることは、さらに、
前記端末装置が前記第二下りリンク信号を送信し又は受信するために用いられるビームに基づき、前記第一下りリンク信号の第一ポート集合における信号を送信し又は受信するために用いられるビームを確定することができることと、
又は、前記第一下りリンク信号の第一ポート集合における信号を送信し又は受信するために用いられるビームと前記第二下りリンク信号を送信し又は受信するために用いられるビームのビーム方向が類似し又は同一であることとを含む。
【００４９】
好ましくは、ある実施例では、前記第二下りリンク信号は同期信号ブロックであり、前記端末装置が前記第二下りリンク信号を伝送するためのチャネルの広域パラメータに基づき、前記第一下りリンク信号の第一ポート集合に対応するチャネルの広域パラメータを確定することができることは、具体的に、
前記端末装置が前記同期信号ブロック内の同期信号ＳＳ又は物理ブロードキャストチャネルＰＢＣＨ復調基準信号ＤＭＲＳを伝送するためのチャネルの広域パラメータに基づき、前記第一下りリンク信号を伝送するための第一ポート集合に対応するチャネルの広域パラメータを確定することができることを含む。
【００５０】
好ましくは、ある実施例では、前記第二下りリンク信号は同期信号ブロックであり、前記端末装置が前記第二下りリンク信号を送信し又は受信するために用いられるビームに基づき、前記第一下りリンク信号の第一ポート集合における信号を送信し又は受信するために用いられるビームを確定することは以下を含む。
【００５１】
前記端末装置が前記同期信号ブロック内の同期信号ＳＳ、又はＰＢＣＨを送信し又は受信するために用いられるビームに基づき、前記第一下りリンク信号の第一ポート集合における信号を送信し又は受信するために用いられるビームを確定することができる。前に述べたように、疑似コロケーションする下りリンク信号が同じＱＣＬ  ＩＤに対応するため、前記ＱＣＬ  ＩＤがＣｅｌｌ  ＩＤ、又はビームＩＤ、又は同期信号ブロックの時間インデックス、又はＲＳ  ＩＤであってもよく、従って、前記端末装置がＣｅｌｌ  ＩＤ、又はビームＩＤ、又は同期信号ブロックの時間インデックス、又はＲＳ  ＩＤに基づき、前記第一下りリンク信号の第一ポート集合と疑似コロケーションである前記第二下りリンク信号を確定することができる。
【００５２】
好ましくは、一実施例として、前記ＱＣＬ  ＩＤはセルＩＤであり、この場合、前記Ｓ２２０はさらに、
前記端末装置が前記セルＩＤを搬送するための同期信号ブロック又は前記同期信号ブロック内の信号を、前記第一下りリンク信号の第一ポート集合と疑似コロケーションである前記第二下りリンク信号として確定することを含む。
【００５３】
具体的には、端末装置は少なくとも１つセルが送信する同期信号ブロックを受信でき、各セルの同期信号ブロックが前記各セルに対応するＣｅｌｌ  ＩＤを含んでもよい。例えば、前記Ｃｅｌｌ  ＩＤは同期信号ブロックにおける二次同期信号（Ｓｅｃｏｎｄａｒｙ  Ｓｙｎｃｈｒｏｎｉｚａｔｉｏｎ  Ｓｉｇｎａｌ、ＳＳＳ）によって搬送されてもよく、当然のことながら、前記Ｃｅｌｌ  ＩＤは同期信号ブロックにおける他の同期信号によって搬送されてもよく、又は前記同期信号ブロックにおける各信号がいずれも前記Ｃｅｌｌ  ＩＤを搬送できる。
【００５４】
前記第一下りリンク信号の第一ポート集合に対応するＱＣＬ  ＩＤはＣｅｌｌ  ＩＤであると、前記端末装置がこのＣｅｌｌ  ＩＤを目標Ｃｅｌｌ  ＩＤとして、前記少なくとも１つセルが送信する同期信号ブロックにおいて、前記目標Ｃｅｌｌ  ＩＤを搬送する同期信号ブロック又は前記同期信号ブロック内の信号を確定し、前記目標Ｃｅｌｌ  ＩＤを搬送する同期信号ブロック又は前記同期信号ブロック内の信号を、前記第一下りリンク信号の第一ポート集合と疑似コロケーションである前記第二下りリンク信号として確定することができる。
【００５５】
さらに、前記端末装置が前記同期信号ブロックを伝送するためのチャネルの広域パラメータに基づき、前記第一下りリンク信号を伝送するための第一ポート集合に対応するチャネルに対してチャネル推定を行うことができ、すなわち前記第一下りリンク信号を伝送するための第一ポート集合が経たチャネルに対してチャネル推定を行い、それにより前記第一下りリンク信号のチャネル推定性能を向上させる。
【００５６】
好ましくは、ある実施例では、前記ＱＣＬ  ＩＤは同期信号ブロックの時間インデックスであり、前記端末装置が前記ＱＣＬ  ＩＤに基づき、前記第一下りリンク信号の第一ポート集合と疑似コロケーションである第二下りリンク信号を確定することは、
前記端末装置が前記時間インデックスを搬送するための同期信号ブロック又は前記同期信号ブロック内の信号を、前記第一下りリンク信号の第一ポート集合と疑似コロケーションである前記第二下りリンク信号として確定することを含む。
【００５７】
具体的には、端末装置は少なくとも１つのセルが送信する同期信号ブロックを受信でき、各セルの同期信号ブロックが時間インデックスを含んでもよい。例えば、前記時間インデックスは同期信号ブロックにおけるＰＢＣＨによって搬送されてもよく、当然のことながら、前記時間インデックスは同期信号ブロックにおける他の同期信号によって搬送されてもよく、又は前記同期信号ブロックにおける各信号はいずれも前記時間インデックスを搬送できる。
【００５８】
前記第一下りリンク信号の第一ポート集合に対応するＱＣＬ  ＩＤは同期信号ブロックの時間インデックスであると、前記端末装置がこの時間インデックスを目標時間インデックスとして、前記少なくとも１つのセルが送信する同期信号ブロックにおいて、前記目標時間インデックスを搬送するための同期信号ブロック又は前記同期信号ブロック内の信号を確定し、前記目標時間インデックスを搬送するための同期信号ブロック又は前記同期信号ブロック内の信号を、前記第一下りリンク信号の第一ポート集合と疑似コロケーションである前記第二下りリンク信号として確定することができる。
【００５９】
好ましくは、別の実施例として、前記ＱＣＬ  ＩＤがビームＩＤであり、前記端末装置が前記ＱＣＬ  ＩＤに基づき、前記第一下りリンク信号の第一ポート集合と疑似コロケーションである第二下りリンク信号を確定することは、
前記端末装置が前記ビームＩＤを搬送するための同期信号ブロック又は下りリンク基準信号を前記第一下りリンク信号の第一ポート集合と疑似コロケーションである前記第二下りリンク信号として確定することを含む。
【００６０】
具体的には、端末装置は少なくとも１つのセルが送信する同期信号ブロックを受信でき、各セルの同期信号ブロックが同期信号ブロックを送信し又は受信するためのビームＩＤを含んでもよい。例えば、前記ビームＩＤは同期信号ブロックにおける任意の信号によって搬送されてもよく、例えば、前記ビームＩＤは前記同期信号ブロックにおけるＳＳＳによって搬送されてもよく、又は同期信号ブロックにおける他の同期信号によって搬送されてもよく、又は前記同期信号ブロックにおける各信号が前記ビームＩＤを搬送できる。
【００６１】
前記第一下りリンク信号の第一ポート集合に対応するＱＣＬ  ＩＤはビームＩＤであると、前記端末装置がこのビームＩＤを目標ビームＩＤとして、前記少なくとも１つのセルが送信する同期信号ブロックにおいて、前記目標ビームＩＤを搬送するための同期信号ブロックを確定し、前記目標ビームＩＤを搬送するための同期信号ブロックを、￥前記第一下りリンク信号の第一ポート集合と疑似コロケーションである前記第二下りリンク信号として確定することができる。
【００６２】
前記端末装置は類似する方式でビームＩＤに基づいて前記第一下りリンク信号の第一ポート集合と疑似コロケーションである下りリンク基準信号と確定でき、その後、前記下りリンク基準信号を前記第二下りリンク信号として確定する。
【００６３】
さらに、前記端末装置が前記同期信号ブロック又は前記下りリンク基準信号を伝送するためのチャネルの広域パラメータに基づき、前記第一下りリンク信号を伝送するための第一ポート集合に対応するチャネルに対してチャネル推定を行うことができ、すなわち前記第一下りリンク信号を伝送するための第一ポート集合が経たチャネルに対してチャネル推定を行い、それにより前記第一下りリンク信号のチャネル推定性能を向上させる。
【００６４】
好ましくは、さらに別の実施例として、前記ＱＣＬ  ＩＤが前記下りリンクＲＳのシーケンスを生成するＲＳ  ＩＤであり、この場合、Ｓ２２０は、さらに、
前記端末装置が事前に配置されたＲＳ集合内の、前記ＲＳ  ＩＤを使用してＲＳシーケンスを生成する下りリンクＲＳを、前記第一下りリンク信号の第一ポート集合と疑似コロケーションである前記第二下りリンク信号として確定することを含む。
【００６５】
具体的には、ネットワーク装置が端末装置にＲＳ集合を事前に配置でき、前記ＲＳ集合における各ＲＳのシーケンスがＲＳ  ＩＤで生成される。前記ＱＣＬ  ＩＤが前記下りリンクＲＳのシーケンスを生成するためのＲＳ  ＩＤであると、前記端末装置が前記ＲＳ  ＩＤを目標ＲＳ  ＩＤとし、前記目標ＲＳ  ＩＤに基づき、前記ＲＳ集合においてどのＲＳのシーケンスが前記目標ＲＳ  ＩＤで生成されるかを確定し、それによって、それを前記第一下りリンク信号ＲＳの第一ポート集合と疑似コロケーションである前記第二下りリンク信号として確定することができる。
【００６６】
さらに、前記端末装置が前記第二下りリンク信号を伝送するためのチャネルの広域パラメータに基づき、前記第一下りリンク信号の第一ポート集合に対応するチャネルに対してチャネル推定を行うことができ、それにより前記第一下りリンク信号のチャネル推定性能を向上させる。
【００６７】
Ｓ２３０、前記端末装置が前記第二下りリンク信号から取得されたＱＣＬ情報に基づき、前記第一下りリンク信号の第一ポート集合における信号を処理する。
【００６８】
本願の実施例では、前記第二下りリンク信号は少なくとも１つの下りリンク信号を含むことが理解されるべきであり、例えば、前記第二下りリンク信号が前に述べた前記第二下りリンク信号における少なくとも１つを含んでもよく、つまり、前記端末装置が少なくとも１つの下りリンク信号から取得されたＱＣＬ情報に基づき、前記第一下りリンク信号の第一ポート集合における信号を処理できる。
【００６９】
本願の実施例では、前記ＱＣＬ情報はチャネルの広域情報又はビーム情報を含んでもよく、具体的には、前記第二下りリンク信号のＱＣＬ情報は前記第二下りリンク信号を伝送するためのチャネルの広域パラメータ、又は前記第二下りリンク信号を送信し又は受信するために用いられるビームのビーム情報を含んでもよい。
【００７０】
一例として、前記第一下りリンク信号はＤＭＲＳであり、前記第一下りリンク信号の第一ポート集合において伝送される信号はＤＭＲＳであると、前記端末装置が前記第二下りリンク信号から取得されたＱＣＬ情報に基づき、前記第一下りリンク信号の第一ポート集合に対応するチャネルに対してチャネル推定を行い、チャネル推定の結果に基づいて前記第一ポート集合における信号に対してデータ復調を行うことができ。別の例として、前記第一下りリンク信号はＣＳＩ−ＲＳであり、前記第一下りリンク信号の第一ポート集合において伝送される信号はＣＳＩ−ＲＳであると、前記端末装置が前記第二下りリンク信号から取得されたＱＣＬ情報に基づき、前記第一下りリンク信号の第一ポート集合におけるチャネルに対してチャネル推定を行い、チャネル推定の結果に基づいてＣＳＩ測定を行うことができる。さらに別の例として、前記第一下りリンク信号は同期信号であり、前記第一下りリンク信号の第一ポート集合において伝送される信号は同期信号であると、前記端末装置が前記第二下りリンク信号から取得されたＱＣＬ情報に基づき、前記第一下りリンク信号の第一ポート集合における信号を受信でき、さらに、前記同期信号に基づいて同期情報を取得できる。
【００７１】
好ましくは、一実施例として、Ｓ２３０はさらに、
前記端末装置が前記第二下りリンク信号を伝送するためのチャネルの広域パラメータを取得することと、
前記第二下りリンク信号を伝送するためのチャネルの広域パラメータに基づき、前記第一下りリンク信号の第一ポート集合に対応するチャネルに対してチャネル推定を行うこととを含んでもよい。
【００７２】
前に述べたように、第一下りリンク信号の第一ポート集合は第二下りリンク信号と疑似コロケーションである場合では、前記第一下りリンク信号を伝送するための第一ポート集合に対応するチャネルの広域パラメータと前記第二下りリンク信号を伝送するためのチャネルの広域パラメータが類似し又は同一である。従って、前記端末装置が前記第二下りリンク信号を伝送するためのチャネルの広域パラメータに基づき、前記第一下りリンク信号の第一ポート集合に対応するチャネルに対してチャネル推定を行うことができる。
【００７３】
一例として、前記第一下りリンク信号はデータチャネルのＤＭＲＳであり、前記第二下りリンク信号はＣＳＩ−ＲＳであり、前記端末装置が前記ＣＳＩ−ＲＳを伝送するためのチャネルに対してチャネル推定を行うことにより取得された遅延スプレッド及びドップラースプレッド等の広域パラメータに基づき、データチャネルのＤＭＲＳの第一ポート集合に対応するチャネルに対してチャネル推定を行うことができる。さらに、前記端末装置は前記チャネル推定の結果に基づき、第一ポート集合におけるデータ復調を行うことができる。
【００７４】
別の例として、前記第一下りリンク信号はＣＳＩ−ＲＳであり、前記第二下りリンク信号はＰＴ−ＲＳであり、前記端末装置が前記ＰＴ−ＲＳを伝送するためのチャネルに対してチャネル推定を行うことにより取得される遅延スプレッド及びドップラースプレッド等の広域パラメータに基づき、ＣＳＩ−ＲＳの第一ポート集合に対応するチャネルに対してチャネル推定を行うことができる。さらに、前記端末装置がチャネル推定の結果に基づき、ＣＳＩ測定を行うことができる。
【００７５】
本願の実施例では、前記第一下りリンク信号は同期信号ブロック、又は同期信号、又は同期チャネルであると、前記端末装置が前記第一下りリンク信号の第一ポート集合における同期信号ブロック、又は同期信号、又は同期チャネルのみを受信し、その後、受信された前記第一下りリンク信号の第一ポート集合における同期信号ブロック、又は同期信号、又は同期チャネルに基づいてセル信号同期を行う必要があり、チャネル推定に関する操作を実行する必要がない。
【００７６】
つまり、前記端末装置は前記第一下りリンク信号の第一ポート集合と疑似コロケーションである第二下りリンク信号を確定した後、前記第一下りリンク信号の信号タイプに基づき、対応する操作を実行でき、例えば、前記第一下りリンク信号が同期信号ブロック、又は同期信号、又は同期チャネル等のセル同期に用いられる信号であると、前記端末装置が前記第一下りリンク信号に基づいてセル同期を行うことができ、又は前記第一下りリンク信号がＤＭＲＳであると、前記端末装置が前記第二下りリンク信号を伝送するためのチャネルの広域パラメータに基づき、前記第一下りリンク信号の第一ポート集合に対応するチャネルに対してチャネル推定を行うことができ、さらに、チャネル推定の結果に基づき、第一ポート集合におけるデータ復調を行うことができ、又は前記第一下りリンク信号がＣＳＩ−ＲＳであると、前記端末装置が前記第二下りリンク信号を伝送するためのチャネルの広域パラメータに基づき、前記第一下りリンク信号の第一ポート集合に対応するチャネルに対してチャネル推定を行うことができ、さらに、チャネル推定の結果に基づき、ＣＳＩ測定を行うことができる。
【００７７】
好ましくは、別の実施例として、Ｓ２３０はさらに、
前記端末装置が前記第二下りリンク信号を受信するために用いられるビームを前記第一下りリンク信号の第一ポート集合における信号を受信する目標ビームとして確定することと、
前記目標ビームを用いて前記第一下りリンク信号の第一ポート集合における信号を受信することとを含んでもよい。
【００７８】
前に述べたように、第一下りリンク信号の第一ポート集合は第二下りリンク信号と疑似コロケーションである場合では、前記第一下りリンク信号の第一ポート集合における信号を送信し又は受信するために用いられるビームと前記第二下りリンク信号を送信し又は受信するために用いられるビームのビーム方向が類似し又は同一である。従って、前記端末装置が前記第二下りリンク信号を受信するためのビームを、前記第一下りリンク信号の第一ポート集合における信号を受信する目標ビームとして確定でき、その後、前記目標ビームを用いて前記第一下りリンク信号の第一ポート集合における信号を受信する。
【００７９】
例えば、前記第一下りリンク信号はデータチャネルのＤＭＲＳであり、前記第二下りリンク信号はＣＳＩ−ＲＳであり、前記端末装置が前記ＣＳＩ−ＲＳを受信するビームを前記データチャネルのＤＭＲＳの第一ポート集合における信号を受信する目標ビームとして確定することができ、前記目標ビームを用いて前記データチャネルのＤＭＲＳの第一ポート集合における信号を受信する。
【００８０】
従って、本願の実施例の信号処理の方法では、前記端末装置はＱＣＬ  ＩＤに基づいて第一下りリンク信号と疑似コロケーションである第二下りリンク信号を確定することができ、それにより前記第二下りリンク信号に基づき、前記第一下りリンク信号の第一ポート集合における信号を処理でき、例えば、第二下りリンク信号に基づき、前記第一下りリンク信号の第一ポート集合における信号に対してチャネル推定を行うことができ、それにより前記第一下りリンク信号のチャネル推定性能を向上させる。
【００８１】
前文は図２を参照しながら、本願の方法の実施例を詳しく説明し、後文は図３及び図４を参照しながら、本願の装置の実施例を詳しく説明し、装置の実施例と方法の実施例が相互に対応することが理解されるべきであり、類似する説明は方法の実施例を参照してもよい。
【００８２】
図３は本願の実施例による信号処理の装置の模式的なブロック図である。図３の装置３００は、
第一下りリンク信号の第一ポート集合に対応する疑似コロケーション（ＱＣＬ）識別ＩＤを確定し、前記ＱＣＬ  ＩＤに基づき、前記第一下りリンク信号の第一ポート集合と疑似コロケーションである第二下りリンク信号を確定するように構成される確定モジュール３１０と、
前記第二下りリンク信号から取得されたＱＣＬ情報に基づき、前記第一下りリンク信号の第一ポート集合における信号を処理するように構成される処理モジュール３２０とを含む。
【００８３】
好ましくは、ある実施例では、前記ＱＣＬ  ＩＤはセルＩＤ、又はビームＩＤ、又は同期信号ブロックの時間インデックス、又は下りリンクＲＳのシーケンスを生成するためのＲＳ  ＩＤである。
【００８４】
好ましくは、ある実施例では、前記第一ポート集合が前記第一下りリンク信号の一部又は全部のポートを含む。
【００８５】
好ましくは、ある実施例では、前記ＱＣＬ  ＩＤはセルＩＤ、前記確定モジュール３１０は具体的に、
前記セルＩＤを搬送するための同期信号ブロック又は前記同期信号ブロック内の信号を、前記第一下りリンク信号の第一ポート集合と疑似コロケーションである前記第二下りリンク信号として確定するように構成される。
【００８６】
好ましくは、ある実施例では、前記ＱＣＬ  ＩＤは同期信号ブロックの時間インデックスであり、前記確定モジュール３１０は具体的に、
前記時間インデックスを搬送するための同期信号ブロック又は前記同期信号ブロック内の信号を、前記第一下りリンク信号の第一ポート集合と疑似コロケーションである前記第二下りリンク信号として確定するように構成される。
【００８７】
好ましくは、ある実施例では、前記ＱＣＬ  ＩＤはビームＩＤであり、前記確定モジュール３１０は具体的に、
前記ビームＩＤを搬送するための同期信号ブロック又は下りリンク基準信号ＲＳを、前記第一下りリンク信号の第一ポート集合と疑似コロケーションである前記第二下りリンク信号として確定するように構成される。
【００８８】
好ましくは、ある実施例では、前記ＱＣＬ  ＩＤは下りリンクＲＳのシーケンスを生成するためのＲＳ  ＩＤであり、前記確定モジュール３１０は具体的に、
事前に配置されたＲＳ集合内の、前記ＲＳ  ＩＤを使用してＲＳシーケンスを生成する下りリンクＲＳを、前記第一下りリンク信号の第一ポート集合と疑似コロケーションである前記第二下りリンク信号として確定するように構成される。
【００８９】
好ましくは、ある実施例では、前記第一下りリンク信号の第一ポート集合が前記第二下りリンク信号と疑似コロケーションであることは、
前記確定モジュール３１０が前記第二下りリンク信号を伝送するためのチャネルの広域パラメータに基づき、前記第一下りリンク信号の第一ポート集合に対応するチャネルの広域パラメータを確定することができること、又は
前記確定モジュール３１０が前記第二下りリンク信号を送信し又は受信するために用いられるビームに基づき、前記第一下りリンク信号の第一ポート集合における信号を送信し又は受信するために用いられるビームを確定することができることを含む。
【００９０】
好ましくは、ある実施例では、前記第二下りリンク信号は同期信号ブロックであり、前記確定モジュール３１０は前記第二下りリンク信号を伝送するためのチャネルの広域パラメータに基づき、前記第一下りリンク信号の第一ポート集合に対応するチャネルの広域パラメータを確定することができることは、
前記確定モジュール３１０が前記同期信号ブロック内の同期信号ＳＳ又は物理ブロードキャストチャネルＰＢＣＨ復調基準信号ＤＭＲＳを伝送するためのチャネルの広域パラメータに基づき、前記第一下りリンク信号を伝送するための第一ポート集合に対応するチャネルの広域パラメータを確定することができることを含む。
【００９１】
好ましくは、ある実施例では、前記第二下りリンク信号は同期信号ブロックであり、前記確定モジュール３１０は前記第二下りリンク信号を送信し又は受信するために用いられるビームに基づき、前記第一下りリンク信号の第一ポート集合における信号を送信し又は受信するために用いられるビームを確定することができることは、
前記確定モジュール３１０が前記同期信号ブロック内の同期信号ＳＳ、又はＰＢＣＨを送信し又は受信するために用いられるビームに基づき、前記第一下りリンク信号の第一ポート集合における信号を送信し又は受信するために用いられるビームを確定することができることを含む。
【００９２】
好ましくは、ある実施例では、前記ＱＣＬ情報はチャネルの広域パラメータ又はビーム情報を含む。
【００９３】
好ましくは、ある実施例では、前記処理モジュール３２０は具体的に、
前記第二下りリンク信号を伝送するためのチャネルの広域パラメータを取得し、
前記第二下りリンク信号を伝送するためのチャネルの広域パラメータに基づき、前記第一下りリンク信号の第一ポート集合における信号を受信するように構成される。
【００９４】
好ましくは、ある実施例では、前記処理モジュール３２０は具体的に、
前記第二下りリンク信号を受信するために用いられるビームを、前記第一下りリンク信号の第一ポート集合における信号を受信する目標ビームとして確定するように構成される。
【００９５】
前記装置３００はさらに、
前記目標ビームを用いて前記第一下りリンク信号の第一ポート集合における信号を受信するように構成される通信モジュールを含む。
【００９６】
好ましくは、ある実施例では、チャネルの広域パラメータは、
遅延スプレッド、ドップラースプレッド、ドップラーシフト、平均ゲイン、平均遅延、離れ角、到着角、受信相関性及び送信相関性のうちの少なく１つを含む。
【００９７】
好ましくは、ある実施例では、前記第一下りリンク信号はＤＭＲＳ、又はチャネル状態情報基準信号ＣＳＩ−ＲＳ、又は同期信号ブロック、又は同期信号、又は同期チャネルである。
【００９８】
好ましくは、ある実施例では、前記第二下りリンク信号はＣＳＩ−ＲＳ、又は同期信号ブロック、又は同期信号、又は同期チャネル、又は位相追跡基準信号ＰＴ−ＲＳである。
【００９９】
具体的には、該装置３００は（例えば、配置してもよく、又は本身がそのものである）上記方法２００に説明される端末装置に対応でき、且つ、該装置３００における各モジュール又はユニットがそれぞれ上記方法２００において端末装置が実行した各動作又は処理過程を実行するように構成され、ここで、贅言を避けるために、その詳しい説明を省略する。
【０１００】
図４に示されるように、本願の実施例はさらに信号処理の装置４００を提供し、前記装置４００は図３における装置３００であってもよく、それが図２における方法２００に対応する端末装置の内容を実行するように構成されてもよい。前記装置４００は、入力インターフェース４１０、出力インターフェース４２０、プロセッサ４３０及びメモリ４４０を含み、前記入力インターフェース４１０、出力インターフェース４２０、プロセッサ４３０及びメモリ４４０はバスシステムを介して接続できる。前記メモリ４４０はプログラム、コマンド又はコードを記憶して含むように構成される。前記プロセッサ４３０は、前記メモリ４４０におけるプログラム、コマンド又はコードを実行するように構成され、それにより入力インターフェース４１０が信号を受信することを制御し、出力インターフェース４２０が信号を送信することを制御し、及び上記方法の実施例における操作を完了する。
【０１０１】
本願の実施例では、前記プロセッサ４３０は中央処理ユニット（Ｃｅｎｔｒａｌ  Ｐｒｏｃｅｓｓｉｎｇ  Ｕｎｉｔ、“ＣＰＵ”と略称）であってもよく、前記プロセッサ４３０はさらに他の汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブル論理デバイス、離散ゲート又はトランジスタ論理デバイス、離散ハードウェアコンポーネント等であってもよいことが理解されるべきである。汎用プロセッサはマイクロプロセッサであってもよく、又は前記プロセッサは任意の通常のプロセッサ等であってもよい。
【０１０２】
前記メモリ４４０は読み出し専用メモリ及びランダムアクセスメモリを含んでもよく、且つプロセッサ４３０にコマンド及びデータを提供する。メモリ４４０の一部はさらに、非揮発性ランダムアクセスメモリを含んでもよい。例えば、メモリ４４０はさらに装置タイプの情報を記憶できる。
【０１０３】
実現過程では、上記方法の各内容はプロセッサ４３０におけるハードウェアの集積論理回路又はソフトウェア形式のコマンドによって完了できる。本願の実施例に開示される方法の内容を参照し、ハードウェアプロセッサが実行して完了し、又はプロセッサにおけるハードウェアとソフトウェアモジュールとの組む合せで実行し完了するように直接体現される。ソフトウェアモジュールはランダムアクセスメモリ、フラッシュメモリ、読み出し専用メモリ、プログラム可能読出し専用メモリ又は電気的消去可能プログラマブルメモリ、レジスタ等の本分野における成熟した記憶媒体に位置できる。前記記憶媒体がメモリ４４０に位置し、プロセッサ４３０がメモリ４４０における情報を読み取り、そのハードウェアと組み合わせて上記方法の内容を完了する。繰り返しを避けるために、ここで詳しく説明しない。
【０１０４】
１つの特定の実施形態では、図３における装置３００に含まれる確定モジュール３１０、処理モジュール３２０、及び取得モジュールは図４におけるプロセッサ４３０で実現でき、図３における装置３００に含まれる通信モジュールは、図４の前記入力インターフェース４１０及び前記出力インターフェース４２０によって実現できる。
【０１０５】
本願の実施例はさらにコンピュータ読み取り可能な記憶媒体を提供し、該コンピュータ読み取り可能な記憶媒体が１つ又は複数のプログラムを記憶し、該１つ又は複数のプログラムがコマンドを含み、該コマンドが複数のアプリケーションを含む搬送型電子装置に実行される時、該搬送型電子装置に図２に示される実施例の方法を実行させることができる。
【０１０６】
本願の実施例はさらにコンピュータプログラムを提供し、該コンピュータプログラムがコマンドを含み、該コンピュータプログラムがコンピュータに実行される時、コンピュータに図２に示される実施例の方法の対応するフローを実行させることができる。
【０１０７】
当業者は、本文に開示される実施例が説明した各例のユニット及びアルゴリズムステップを参照し、電子ハードウェア、又はコンピュータソフトウェアと電子ハードウェアとの組み合わせで実現できることが認識される。そのような機能がハードウェアとして、あるいはソフトウェアとして実現されるかどうかは、技術案の特定のアプリケーション及び設計の制約に依存する。専門技術者は各特定のアプリケーションに対して異なる方法を用いて説明された機能を実現できるが、このような実現が本願の範囲を超えるものと見なすべきではない。
【０１０８】
当業者は、説明の便宜上及び簡潔さのために、上記のシステム、装置及びユニットの具体的な作業過程は、上記方法の実施例の対応する過程を参照できることを明確に理解でき、ここで説明を省略する。
【０１０９】
本願が提供したいくつかの実施例では、開示されるシステム、装置及び方法は、他の方式で実現できることが理解されるべきである。例えば、以上に説明された装置の実施例は単なる模式的なものであり、例えば、前記ユニットの区分は、単なる論理機能の区分であり、実際に実現される時に別の区別方式を有してもよく、例えば複数のユニット又はコンポーネントが組み合わせられてもよく、又は別のシステムに集積されてもよく、又はある特徴を無視し、又は実行しない。一方、表示され又は検討される相互のカップリング又は直接カップリング又は通信接続はあるインターフェース、装置又はユニットの間接カップリング又は通信接続を用いてもよく、電気、機械又は他の形式であってもよい。
【０１１０】
前記した分離部材として説明されたユニットは物理的に分離するものであってもよく、又は物理的に分離するものでなくてもよく、ユニットとして表示される部材は物理ユニットであってもよく、又は物理ユニットでなくてもよく、すなわち１つの場所に位置してもよく、又は複数のネットワークユニットに分布してもよい。実際の必要に応じてそのうちの位置又は全部のユニットを選択して本実施例の解決策の目的を実現することができる。
【０１１１】
また、本願の各実施例における各機能ユニットは１つの処理ユニットに集積してもよく、各ユニットが物理的に別個存在してもよく、２つ又は２つ以上のユニットが１つのユニットに集積されてもよい。
【０１１２】
前記機能はソフトウェア機能ユニットの形式で実現され且つ独立した製品を販売し又は使用する時、１つのコンピュータ読み取り可能な取記憶媒体に記憶されてもよい。このような理解に基づき、本願の技術案、又は従来技術に貢献する部分又は前記技術案の部分はソフトウェア製品の形式で具現化されてもよく、前記コンピュータソフトウェア製品は１つの記憶媒体に記憶され、いくつかのコマンドを含み、それにより１台のコンピュータ装置（パーソナルコンピュータ、サーバー、又はネットワーク装置等）に本願の各実施例に記載の方法の全部又は一部のステップを実行させる。上記記憶媒体は、ＵＳＢメモリ、ポータブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプログラムコードを記憶できる各種の媒体を含む。
【０１１３】
上記は本出願の特定の実施形態にすぎないが、本出願の保護範囲はそれに限定されず、当業者が本出願に開示された技術的範囲内で変更又は置換を容易に考えることができるものは本願の保護範囲に含まれるべきである。従って、本願の保護範囲は、請求項の保護範囲に従うものとする。
【図１】
2020518180.tif 000003
【図２】
2020518180.tif 000004
【図３】
2020518180.tif 000005
【図４】
2020518180.tif 000006
【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
信号処理の方法であって、
端末装置が、第一下りリンク信号の第一ポート集合に対応する疑似コロケーション（ＱＣＬ）識別ＩＤを確定することと、
前記端末装置が、前記ＱＣＬ  ＩＤに基づき、前記第一下りリンク信号の第一ポート集合と疑似コロケーションである第二下りリンク信号を確定することと、
前記端末装置が、前記第二下りリンク信号から取得されたＱＣＬ情報に基づき、前記第一下りリンク信号の第一ポート集合における信号を処理することと、を含むことを特徴とする、前記信号処理の方法。
【請求項２】
前記ＱＣＬ  ＩＤがセルＩＤ、又はビームＩＤ、又は同期信号ブロックの時間インデックス、又は下りリンクＲＳのシーケンスを生成するためのＲＳ  ＩＤであることを特徴とする
請求項１に記載の方法。
【請求項３】
前記第一ポート集合が前記第一下りリンク信号の一部又は全部のポートを含むことを特徴とする
請求項１又は２に記載の方法。
【請求項４】
前記ＱＣＬ  ＩＤが同期信号ブロックの時間インデックスであり、前記端末装置が、前記ＱＣＬ  ＩＤに基づき、前記第一下りリンク信号の第一ポート集合と疑似コロケーションである第二下りリンク信号を確定することは、
前記端末装置が前記時間インデックスを搬送するための同期信号ブロック又は前記同期信号ブロック内の信号を、前記第一下りリンク信号の第一ポート集合と疑似コロケーションである前記第二下りリンク信号として確定することを含むことを特徴とする
請求項１〜３のいずれか１項に記載の方法。
【請求項５】
前記第二下りリンク信号を伝送するためのチャネルの広域パラメータは、前記第一下りリンク信号の第一ポート集合に対応するチャネルの広域パラメータを確定するために用いられ、又は
前記第二下りリンク信号を送信し又は受信するために用いられるビームは、前記第一下りリンク信号の第一ポート集合における信号を送信し又は受信するために用いられるビームを確定するために用いられること特徴とする
請求項１至４のいずれか１項に記載の方法。
【請求項６】
前記第二下りリンク信号が同期信号ブロックであり、
前記同期信号ブロック内の同期信号ＳＳ又は物理ブロードキャストチャネルＰＢＣＨ復調基準信号ＤＭＲＳを伝送するためのチャネルの広域パラメータは、前記第一下りリンク信号を伝送するための第一ポート集合に対応するチャネルの広域パラメータを確定するために用いられることを特徴とする
請求項５に記載の方法。
【請求項７】
前記第二下りリンク信号が同期信号ブロックであり、
前記同期信号ブロック内の同期信号ＳＳ、又はＰＢＣＨを送信し又は受信するために用いられるビームは、前記第一下りリンク信号の第一ポート集合における信号を送信し又は受信するために用いられるビームを確定するために用いられること特徴とする
請求項５に記載の方法。
【請求項８】
前記ＱＣＬ情報がチャネルの広域パラメータ又はビーム情報を含むことを特徴とする
請求項１〜７のいずれか１項に記載の方法。
【請求項９】
前記端末装置が前記第二下りリンク信号から取得されたＱＣＬ情報に基づき、前記第一下りリンク信号の第一ポート集合における信号を処理することは、
前記端末装置が、前記第二下りリンク信号を伝送するためのチャネルの広域パラメータを取得することと、
前記第二下りリンク信号を伝送するためのチャネルの広域パラメータに基づき、前記第一下りリンク信号の第一ポート集合に対応するチャネルに対してチャネル推定を行うこととを含むこと特徴とする
請求項８に記載の方法。
【請求項１０】
前記端末装置が前記第二下りリンク信号から取得されたＱＣＬ情報に基づき、前記第一下りリンク信号の第一ポート集合の信号を処理することは、
前記端末装置が、前記第二下りリンク信号を受信するために用いられるビームを、前記第一下りリンク信号の第一ポート集合における信号を受信する目標ビームとして確定することと、
前記目標ビームを用いて前記第一下りリンク信号の第一ポート集合における信号を受信することとを含むこと特徴とする
請求項８に記載の方法。
【請求項１１】
チャネルの広域パラメータは、
遅延スプレッド、ドップラースプレッド、ドップラーシフト、平均ゲイン、平均遅延、離れ角、到着角、受信相関性及び送信相関性のうちの少なくとも１つを含むことを特徴とする
請求項８〜１０のいずれか１項に記載の方法。
【請求項１２】
前記第一下りリンク信号がＤＭＲＳ、又はチャネル状態情報基準信号ＣＳＩ−ＲＳ、又は同期信号ブロック、又は同期信号、又は同期チャネルであることを特徴とする
請求項１〜１１のいずれか１項に記載の方法。
【請求項１３】
前記第二下りリンク信号がＣＳＩ−ＲＳ、又は同期信号ブロック、又は同期信号、又は同期チャネル、又は位相追跡基準信号ＰＴ−ＲＳであることを特徴とする
請求項１〜１２のいずれか１項に記載の方法。
【請求項１４】
信号処理の装置であって、
第一下りリンク信号の第一ポート集合に対応する疑似コロケーション（ＱＣＬ）識別ＩＤを確定し、前記ＱＣＬ  ＩＤに基づき、前記第一下りリンク信号の第一ポート集合と疑似コロケーションである第二下りリンク信号を確定するように構成される確定モジュールと、
前記第二下りリンク信号から取得されたＱＣＬ情報に基づき、前記第一下りリンク信号の第一ポート集合における信号を処理するように構成される処理モジュールとを含むことを特徴とする、信号処理の装置。
【請求項１５】
前記ＱＣＬ  ＩＤがセルＩＤ、又はビームＩＤ、又は同期信号ブロックの時間インデックス、又は下りリンクＲＳのシーケンスを生成するためのＲＳ  ＩＤであることを特徴とする
請求項１４に記載の装置。
【請求項１６】
前記第一ポート集合が前記第一下りリンク信号の一部又は全部のポートを含むことを特徴とする
請求項１４又は１５に記載の装置。
【請求項１７】
前記ＱＣＬ  ＩＤが同期信号ブロックの時間インデックスであり、前記確定モジュールが具体的に、
前記時間インデックスを搬送するための同期信号ブロック又は前記同期信号ブロック内の信号を、前記第一下りリンク信号の第一ポート集合と疑似コロケーションである前記第二下りリンク信号として確定するように構成されることを特徴とする
請求項１４〜１６のいずれか１項に記載の装置。
【請求項１８】
前記第二下りリンク信号を伝送するためのチャネルの広域パラメータは、前記第一下りリンク信号の第一ポート集合に対応するチャネルの広域パラメータを確定するために用いられ、又は
前記第二下りリンク信号を送信し又は受信するために用いられるビームは、前記第一下りリンク信号の第一ポート集合における信号を送信し又は受信するために用いられるビームを確定するために用いられることを特徴とする
請求項１４〜１７のいずれか１項に記載の装置。
【請求項１９】
前記第二下りリンク信号が同期信号ブロックであり、
前記同期信号ブロック内の同期信号ＳＳ又は物理ブロードキャストチャネルＰＢＣＨ復調基準信号ＤＭＲＳを伝送するためのチャネルの広域パラメータは、前記第一下りリンク信号を伝送するための第一ポート集合に対応するチャネルの広域パラメータを確定するために用いられることを特徴とする
請求項１８に記載の装置。
【請求項２０】
前記第二下りリンク信号が同期信号ブロックであり、
前記同期信号ブロック内の同期信号ＳＳ、又はＰＢＣＨを送信し又は受信するために用いられるビームは、前記第一下りリンク信号の第一ポート集合における信号を送信し又は受信するために用いられるビームを確定するために用いられることを含むことを特徴とする
請求項１８に記載の装置。
【請求項２１】
前記ＱＣＬ情報がチャネルの広域パラメータ又はビーム情報を含むことを特徴とする
請求項１４〜２０のいずれか１項に記載の装置。
【請求項２２】
前記処理モジュールは具体的に、
前記第二下りリンク信号を伝送するためのチャネルの広域パラメータを取得し、
前記第二下りリンク信号を伝送するためのチャネルの広域パラメータに基づき、前記第一下りリンク信号の第一ポート集合に対応するチャネルに対してチャネル推定を行うように構成されることを特徴とする
請求項２１に記載の装置。
【請求項２３】
前記処理モジュールは具体的に、
前記第二下りリンク信号を受信するために用いられるビームを、前記第一下りリンク信号の第一ポート集合における信号を受信する目標ビームとして確定するように構成され、
前記装置はさらに、
前記目標ビームを用いて前記第一下りリンク信号の第一ポート集合における信号を受信するように構成される通信モジュールを含むことを特徴とする
請求項２１に記載の装置。
【請求項２４】
チャネルの広域パラメータは、
遅延スプレッド、ドップラースプレッド、ドップラーシフト、平均ゲイン、平均遅延、離れ角、到着角、受信相関性及び送信相関性のうちの少なくとも１つを含むことを特徴とする
請求項２１〜２３のいずれか１項に記載の装置。
【請求項２５】
前記第一下りリンク信号がＤＭＲＳ、又はチャネル状態情報基準信号ＣＳＩ−ＲＳ、又は同期信号ブロック、又は同期信号、又は同期チャネルであることを特徴とする
請求項１４〜２４のいずれか１項に記載の装置。
【請求項２６】
前記第二下りリンク信号がＣＳＩ−ＲＳ、又は同期信号ブロック、又は同期信号、又は同期チャネル、又は位相追跡基準信号ＰＴ−ＲＳであることを特徴とする
請求項１４〜２５のいずれか１項に記載の装置。
【国際調査報告】
2020518180.tif 000007
2020518180.tif 000008
2020518180.tif 000009
2020518180.tif 000010
2020518180.tif 000011
2020518180.tif 000012